(57)【要約】【課題】本発明は、より包装を解き易くすることのできる飯塊包装シートを提供する。【解決手段】本発明の飯塊包装シート１０は、飯塊６０を包装する飯塊包装シートであって、長手方向の略中央に前記飯塊の厚さＴと略同一の間隔Ｔ１を存して形成された２列のカットテープ２１，２１が接着され、前記２列のカットテープで囲まれた分断可能領域２０と、前記分断可能領域の両側に位置する飯塊側面対向領域３０，３０を有するフィルムを含み、前記分断可能領域と飯塊側面対向領域との間には、前記フィルムの側縁を基端として内向きに終端Ｅを有する切欠き４０，４０が形成されており、前記切欠きは、前記終端が包装される前記飯塊の底面に届く位置まで長く形成されている。【選択図】図１
2020142827.tif 000002
【特許請求の範囲】
【請求項１】
飯塊を包装する飯塊包装シートであって、
長手方向の略中央に前記飯塊の厚さと略同一の間隔を存して形成された分断可能領域と、前記分断可能領域の両側に位置する飯塊側面対向領域を有するフィルムを含み、
前記分断可能領域と飯塊側面対向領域との間には、前記フィルムの側縁を基端として内向きに終端を有する切欠きが形成されており、
前記切欠きは、前記終端が包装される前記飯塊の底面に届く位置まで長く形成されている、
飯塊包装シート。
【請求項２】
前記フィルムには２列のカットテープが接着されており、前記２列のカットテープで囲まれた領域が前記分断可能領域を形成する、
請求項１に記載の飯塊包装シート。
【請求項３】
前記分断可能領域は、前記フィルムの幅方向の長さが、前記飯塊側面対向領域よりも短い、
請求項１又は請求項２に記載の飯塊包装シート。
【請求項４】
請求項１乃至請求項３の何れかに記載の飯塊包装シートにより飯塊を包装してなる包装飯塊であって、
前記分断可能領域は、両端縁が前記飯塊側面対向領域に巻き込まれることなく包装されている、
包装飯塊。
【請求項５】
前記飯塊を前記飯塊包装シートにより包装した状態で、前記飯塊の側縁に沿って折り曲げられた前記飯塊側面対向領域に、前記分断可能領域の両端が止着手段により止着されている、
請求項４に記載の包装飯塊。
【発明の詳細な説明】
【技術分野】
【０００１】
本発明は、飯塊を包装するシートに関するものである。
【背景技術】
【０００２】
三角おにぎり飯等の飯塊を包装シートで包装した所謂包装飯塊がコンビニエンスストア等で販売されている。例えば、特許文献１では、飯塊包装シート（フィルム）の長手方向の略中央に、飯塊の厚みに略一致する間隔で２本のカットテープを接着している。そして、当該包装シートにより飯塊を包装してなる包装飯塊は、これらカットテープで囲まれた分断可能領域を引っ張ることで、飯塊包装シートを底面に沿って分断し、分断された幅広の開口から飯塊を落下させることで、包装を解くようにしている。
【先行技術文献】
【特許文献】
【０００３】
【特許文献１】特開２０１４−０７３１１４号公報
【発明の概要】
【発明が解決しようとする課題】
【０００４】
飯塊包装シートの両カットテープの外側には、端縁から短い切込みが形成されており、分断可能領域を引っ張ると、これら切込みが分断開始端となり、飯塊包装シートが分断される。しかしながら、飯塊を包装したときに飯塊包装シートに分断可能領域が巻き込まれてしまい、包装を解くときに、分断可能領域を上手く引き出すことができない、或いは、分断可能領域を強く引っ張らなくてはならないことがある。分断可能領域を強く引っ張るために、飯塊を強く握ると、飯塊が押し潰されてしまうことがある。
【０００５】
本発明の目的は、より包装を解き易くすることのできる飯塊包装シートを提供することである。
【課題を解決するための手段】
【０００６】
本発明の飯塊包装シートは、
飯塊を包装する飯塊包装シートであって、
長手方向の略中央に前記飯塊の厚さと略同一の間隔を存して形成された分断可能領域と、前記分断可能領域の両側に位置する飯塊側面対向領域を有するフィルムを含み、
前記分断可能領域と飯塊側面対向領域との間には、前記フィルムの側縁を基端として内向きに終端を有する切欠きが形成されており、
前記切欠きは、前記終端が包装される前記飯塊の底面に届く位置まで長く形成されている。
【０００７】
前記フィルムには２列のカットテープが接着されており、前記２列のカットテープで囲まれた領域が前記分断可能領域を形成する構成とすることができる。
【０００８】
前記分断可能領域は、前記フィルムの幅方向の長さが、前記飯塊側面対向領域よりも短く形成することが望ましい。
【０００９】
本発明の包装飯塊は、
上記記載の飯塊包装シートにより飯塊を包装してなる包装飯塊であって、
前記分断可能領域は、両端縁が前記飯塊側面対向領域に巻き込まれることなく包装されている。
【００１０】
前記飯塊を前記飯塊包装シートにより包装した状態で、前記飯塊の側縁に沿って折り曲げられた前記飯塊側面対向領域に、前記分断可能領域の両端が止着手段により止着することが望ましい。
【発明の効果】
【００１１】
本発明の飯塊包装シートによれば、その両側に飯塊の底面まで届く長さの切欠きが形成されているから、飯塊を包装したときに、分断可能領域の両端は飯塊側面対向領域に巻き込まれることなく包装することができる。従って、包装を解く際に、分断可能領域の端部を容易に掴むことができ、また、飯塊側面対向領域に巻き込まれていないから、掴んだ分断可能領域の端部は、力を加えなくても飯塊側面対向領域から剥がすことができる。そして、分断可能領域をさらに引っ張ることで、飯塊包装シートには、飯塊の厚さに相当する開口が形成されるから、当該広く形成された開口を下に向けて飯塊を飯塊包装シートから取り出せばよい。
【図面の簡単な説明】
【００１２】
【図１】図１は、本発明の一実施形態に係る飯塊包装シートに飯塊を載せた状態を示す斜視図である。
【図２】図２は、飯塊包装シートで飯塊を包装する過程を示す斜視図である。
【図３】図３は、分断可能領域の端縁を飯塊側面対向領域に貼着した包装飯塊の斜視図である。
【図４】図４は、包装飯塊の包装を解く過程を示す斜視図である。
【図５】図５は、図４に続く包装を解く過程を示す拡大斜視図である。
【図６】図６は、分断可能領域が引き剥がされて飯塊が飯塊包装シートから落下している過程を示す斜視図である。
【図７】図７は、切欠きの形状を変えた飯塊包装シートの斜視図である。
【発明を実施するための形態】
【００１３】
以下、本発明について、図面を参照しながら説明を行なう。
【００１４】
図１は、展開状態の飯塊包装シート１０に飯塊６０を載せた状態を示している。本実施形態の飯塊包装シート１０は、一枚のフィルムから構成している。飯塊包装シート１０の長手方向略中央には、２列のカットテープ２１，２１が接着されている。以下、２列のカットテープ２１，２１で囲まれた領域を分断可能領域２０、また、分断可能領域２０に対して飯塊包装シート１０の長手方向両側に位置する領域を飯塊側面対向領域３０，３０と称する。
【００１５】
飯塊包装シート１０は、長手方向の長さが約２３ｃｍ、幅方向の長さ約１４ｃｍの大きさとすることができ、材質はポリプロピレンやポリエチレンなどから選択されたフィルムである。
【００１６】
分断可能領域２０を構成するカットテープ２１，２１は、飯塊包装シート１０の幅方向の全長に亘って接着することができ、望ましくは、カットテープ２１，２１は、飯塊６０と対向する飯塊包装シート１０の内面に接着する。カットテープ２１，２１は、飯塊６０の厚さＴに略一致する間隔Ｔ１を存して２列に形成している。
【００１７】
分断可能領域２０と飯塊側面対向領域３０，３０との間には、カットテープ２１，２１に接近してカットテープ２１，２１と平行に飯塊包装シート１０の側縁を基端とした切欠き４０，４０が施されている。切欠き４０，４０は、内向きに形成されており、分断可能領域２０の端部を掴んで引っ張ったときに、分断の起点となる。図示の実施形態では、飯塊側面対向領域３０，３０に形成されている切欠き４０，４０は、カットテープ２１，２１に対して端縁３１，３１を斜め向きに形成している。
【００１８】
本発明では、切欠き４０，４０は、終端Ｅが図１に示すように包装される飯塊６０の底面にほぼ届く位置まで長く形成している。すなわち、分断可能領域２０の両端に切欠き４０，４０を形成した場合には、カットテープ２１，２１に沿って対向する切欠き４０，４０の終端Ｅ，Ｅの間隔は、飯塊６０の底面の幅Ｗと同じ間隔Ｗ１としている。図示では切欠き４０，４０は、一定の幅を有するように形成しているが、幅の狭い切込みであっても構わない。
【００１９】
そして、本実施形態では、分断可能領域２０は、図１に示すように、両側の飯塊側面対向領域３０，３０よりも幅方向の長さが短く形成している。具体的には、分断可能領域２０の端部を切断している。これは、後述するとおり、飯塊包装シート１０により飯塊６０を包装したときにはみ出す分断可能領域２０の端部の長さを調整するためである。
【００２０】
上記構成の飯塊包装シート１０により飯塊６０が包装される。飯塊６０は、図１に示すように、白米やかやくご飯などを固めて、扁平形状とした固まりである。望ましくは、両側面が略平行となり、該両側面どうしを平面上又は曲面状の周面にて繋いだ形状とする。飯塊６０には、部分的或いは全体に胡麻等の振掛け食品を振り掛けたり、具材を載せたり、具材を内部に挟むようにしてもよい。
【００２１】
図示の飯塊６０は、高さ約７ｃｍ、厚さＴ約４ｃｍ、底面の幅Ｗ約８ｃｍの三角形のおにぎりであるが、丸形のおにぎりや、四角形のおにぎりとすることもできる。
【００２２】
上記構成の飯塊６０は、図１に示すように、飯塊包装シート１０を構成する飯塊包装シート１０に載せられる。飯塊６０は、三角形おにぎりの場合、その底面が、飯塊包装シート１０で包んだときに、分断可能領域２０と対向するように載せる。なお、予め飯塊包装シート１０をカットテープ２１，２１の外側でコ字状に折り曲げておき、飯塊６０を挟むようにしてもよい。
【００２３】
図１に示すように飯塊包装シート１０に飯塊６０を載せた後、飯塊包装シート１０で飯塊６０を包む。このとき、分断可能領域２０は、切欠き４０，４０が長く形成されているから、飯塊側面対向領域３０，３０を飯塊６０の側縁に沿って折り曲げたときに、図２に示すように分断可能領域２０は飯塊側面対向領域３０，３０に巻き込まれることなく包装を行なうことができる。とくに、本実施形態によれば、飯塊側面対向領域３０，３０は、切欠き４０，４０によって形成された端縁３１，３１が斜め向きに形成されているから、端縁３１，３１は飯塊６０の側面下縁に沿って隙間なく巻き付く。巻き付いた飯塊側面対向領域３０，３０は、端縁に製造年月日等や内容物などを記載したラベルで封止すればよい。
【００２４】
そして、分断可能領域２０の端部を図３に示すように上方に折り曲げ、飯塊６０の側縁に沿って折り曲げられた飯塊側面対向領域３０にテープなどの止着手段５０により止着すればよい。なお、止着手段５０には、開封方法がわかるように下向き矢印を印刷しておくことが望ましい。
【００２５】
上記により飯塊６０を飯塊包装シート１０で包装した包装飯塊７０が得られる。
【００２６】
包装飯塊７０は、図３に示す状態から、図４に示すように一方の止着手段５０を飯塊包装シート１０、すなわち、飯塊側面対向領域３０，３０から剥がして、図５に示すように下側となる飯塊６０の底面側に引っ張る。本発明では、包装の際に分断可能領域２０が飯塊側面対向領域３０に巻き込まれていないから、止着手段５０を下側に引っ張れば分断可能領域２０はスムーズに飯塊側面対向領域３０から剥がれる。
【００２７】
そして、さらに止着手段５０を下側に引っ張ることで、止着手段５０に貼着された分断可能領域２０のカットテープ２１，２１は、飯塊６０の厚さＴに相当する幅Ｔ１で飯塊包装シート１０を分断する。最後まで止着手段５０を引っ張ると、図６に示すように分断可能領域２０は取り去られ、幅Ｔ１の開口７１が形成される。
【００２８】
このまま次に、開口７１を下に向けると、図６に示すように、飯塊６０の自重により、飯塊６０は飯塊包装シート１０から落下する。飯塊６０が飯塊包装シート１０から完全に離脱することで、取り出された飯塊６０を食することができる。
【００２９】
本発明によれば、分断可能領域２０が包装の際に飯塊側面対向領域３０に巻き込まれていないから、止着手段５０を引っ張ることで力を加えなくても容易に且つスムーズに分断可能領域２０を飯塊側面対向領域３０から剥がすことができる。従って、飯塊側面対向領域３０に分断可能領域２０が巻き込まれていた場合に生ずる不具合、たとえば、止着手段５０を引っ張ったときに飯塊包装シート１０がカットテープ２１以外の部分から分断してしまったり、逆にカットテープ２１の部分で分断されず、飯塊側面対向領域３０までも引っ張ってしまうことで、上手く包装が解けない、或いは、力を加えて飯塊６０を握ってしまい、飯塊６０が崩れる等を防止できる。
【００３０】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００３１】
上記説明において、説明をわかりやすくするために、適宜寸法や望ましい形状を例示しているが、本発明は上記寸法や形状に限定されるものではない。
【００３２】
また、分断可能領域２０は、飯塊６０と略同じ幅Ｔ１で飯塊包装シート１０を分断することができれば、本実施形態の２列のカットテープ２１，２１に限るものではない。たとえば、分断可能領域２０に幅広のカットテープ１枚を貼着する構成とすることもできる。さらに、分断可能領域２０は、矩形に限らず、幅が途中で異なる形状としてもよい。
【００３３】
加えて、本実施形態では、飯塊包装シート１０は１枚のフィルムにより形成しているが、当該フィルムを外フィルムとし、海苔などのシート状食品を挟んで内フィルムを熱溶着した構成の飯塊包装シートにも本発明は適用可能である。
【００３４】
上記実施形態では、図１に示すように、切欠き４０，４０は、端縁３１，３１を斜めに形成しているが、図７に示すように、切欠き４０，４０の飯塊側面対向領域３０側の端縁３１，３１は、カットテープ２１，２１と平行であってもよい。
【符号の説明】
【００３５】
１０  飯塊包装シート
１１  フィルム
２０  分断可能領域
２１  カットテープ
３０  飯塊側面対向領域
４０  切欠き
６０  飯塊
７０  包装飯塊
【図１】
2020142827.tif 000003
【図２】
2020142827.tif 000004
【図３】
2020142827.tif 000005
【図４】
2020142827.tif 000006
【図５】
2020142827.tif 000007
【図６】
2020142827.tif 000008
【図７】
2020142827.tif 000009